(57)【要約】【課題】キャリア・アグリゲーションを採用するＤＲＸ（不連続受信）モードにおいてＷＴＲＵを動作させるための方法および装置が説明される。【解決手段】セル専用アクティブ時間の間、特定の対応セルのＤＬ  ＣＣ上にてＰＤＳＣＨが受信され、これによりＤＬ  ＣＣがＵＬ  ＣＣに関連付けられる。そしてそのセル専用アクティブ時間の間、特定の対応セルに対するＤＬ割り付け、およびＵＬ  ＣＣに対するＵＬ許可のためにＰＤＣＣＨが監視される。別のシナリオにおいては、ＰＤＣＣＨ受信のためにＣＣの第１の部分集合が構成され、そしてＰＤＣＣＨ受信のためにＣＣの第２の部分集合は構成されない。第１の部分集合におけるＣＣのうちの少なくとも１つのＰＤＣＣＨアクティブ時間に基づき、第２の部分集合における少なくとも１つのＣＣにＤＲＸが適用される。【選択図】図１
2020065312.tif 000002
【特許請求の範囲】
【請求項１】
ｌｏｎｇ  ｔｅｒｍ  ｅｖｏｌｕｔｉｏｎ−ａｄｖａｎｃｅｄ（ＬＴＥ−Ａ）無線送受信装置（ＷＴＲＵ）であって、
不連続受信（ＤＲＸ）構成情報を受信する手段と、
前記受信されたＤＲＸ構成情報に応答して、アクティブ時間の間に第１の周波数帯におけるサブフレーム内のＬＴＥ−Ａ物理ダウンリンク制御チャネル（ＰＤＣＣＨ）を監視するよう前記ＷＴＲＵを制御する手段と、
前記アクティブ時間の間に前記第１の周波数帯における前記ＬＴＥ−Ａ  ＰＤＣＣＨにおいてダウンリンク割り付けを検出することに応答して、前記ダウンリンク割り付けの後に、第２の周波数帯のＫ個のサブフレーム上で、ＬＴＥ−Ａ物理ダウンリンク共有チャネル（ＰＤＳＣＨ）を受信する手段であって、前記ダウンリンク割り付けは、前記第２の周波数帯を示し、前記第２の周波数帯は前記第１の周波数帯とは異なる、手段と
を備えたことを特徴とするＬＴＥ−Ａ  ＷＴＲＵ。
【請求項２】
前記Ｋ個のサブフレームは、少なくとも２つのサブフレームであることを特徴とする請求項１に記載のＬＴＥ−Ａ  ＷＴＲＵ。
【請求項３】
前記Ｋ個のサブフレームは、前記第２の周波数帯に対するＰＤＣＣＨ処理時間およびアクティブ化を許容することを特徴とする請求項１に記載のＬＴＥ−Ａ  ＷＴＲＵ。
【発明の詳細な説明】
【技術分野】
【０００１】
本願は、無線通信に関する。
【背景技術】
【０００２】
Ｒｅｌｅａｓｅ８：リリース８（Ｒ８）のＬｏｎｇ  Ｔｅｒｍ  Ｅｖｏｌｕｔｉｏｎ（ＬＴＥ）システムにおける不連続受信（Ｄｉｓｃｏｎｔｉｎｕｏｕｓ  Ｒｅｃｅｐｔｉｏｎ：ＤＲＸ）動作は、媒体アクセス制御（Ｍｅｄｉｕｍ  Ａｃｃｅｓｓ  Ｃｏｎｔｒｏｌ：ＭＡＣ）第三世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）仕様により定義される。この機能性は、ダウンリンク（ＤｏｗｎＬｉｎｋ：ＤＬ）割り付け（ａｓｓｉｇｎｍｅｎｔ）および／またはアップリンク（ＵｐＬｉｎｋ：ＵＬ）許可（ｇｒａｎｔ）（すなわち共有チャンネル動的配分）より成る制御情報を、ネットワーク（すなわち発展型ノードＢ（ｅｖｏｌｖｅｄ  Ｎｏｄｅ−Ｂ：ｅＮＢ））が物理ダウンリンク制御チャンネル（Ｐｈｙｓｉｃａｌ  ＤＬ  Ｃｏｎｔｒｏｌ  ＣＨａｎｎｅｌ：ＰＤＣＣＨ）を使用して何時（すなわち何れのサブフレームにおいて）無線送受信装置（Ｗｉｒｅｌｅｓｓ  Ｔｒａｎｓｍｉｔ／Ｒｅｃｅｉｖｅ  Ｕｎｉｔ：ＷＴＲＵ）に送出することができるかを定義する一連の規則から成る。ＷＴＲＵによってＰＤＣＣＨ上にて受信したｅＮＢのＤＬ割り付けおよび／またはＵＬ許可により、ＤＬおよびＵＬの共有されたチャンネル送信機会のあることがＷＴＲＵに伝えられる。ＷＴＲＵがこの制御情報のためにＰＤＣＣＨを監視する間の時間期間は、「アクティブ時間」と呼ばれる。ＷＴＲＵは、ＰＤＣＣＨおよび他のＤＬ物理チャンネルを監視する必要がないという条件で、その受信機回路をオフにし、その結果バッテリーを節約することができる。
【０００３】
ＬＴＥ準拠の無線アクセス・システムの達成可能なスループットをさらに向上させ、および通信可能範囲をさらに拡大させるために、そしてＤＬおよびＵＬ方向においてそれぞれ１Ｇｂｐｓおよび５００ＭｂｐｓというＩｎｔｅｒｎａｔｉｏｎａｌ  Ｍｏｂｉｌｅ  Ｔｅｌｅｃｏｍｍｕｎｉｃａｔｉｏｎ（ＩＭＴ）の高度化（ａｄｖａｎｃｅｄ）要件を満足させるために、３ＧＰＰ標準化機構において現在ＬＴＥーＡｄｖａｎｃｅ（ＬＴＥーＡｄ）を検討中である。ＬＴＥ−Ａのために提案された１つの改良がキャリア・アグリゲーション（ｃａｒｒｉｅｒ  ａｇｇｒｅｇａｔｉｏｎ）であり、そしてＤＬおよびＵＬの送信帯域幅がＲ８  ＬＴＥにおける２０ＭＨｚを上回ること（例えば４０〜１００ＭＨｚ）を可能とするための柔軟な帯域幅配置（ａｒｒａｎｇｅｍｅｎｔ）を支援するものである。
【０００４】
キャリア・アグリゲーションを支援するために、所与のコンポーネント・キャリヤ（Ｃｏｍｐｏｎｅｎｔ  Ｃａｒｒｉｅｒ：ＣＣ）に関するＤＬ割り付けを伝達する（ＰＤＣＣＨ上の）制御情報を、データを含むものとは異なるＤＬ  ＣＣ上（例えば、物理ダウンリンク共有チャンネル（Ｐｈｙｓｉｃａｌ  ＤＬ  Ｓｈａｒｅｄ  ＣＨａｎｎｅｌ：ＰＤＳＣＨ）にて送信することが提案されている。そのような配置により、制御チャンネルの構成が柔軟になり、その結果容量を最大化するためにシステム事業者にとって有利になる可能性がある。例えば、１つのＣＣからすべてのＰＤＣＣＨを送信することが可能となる。
【発明の概要】
【発明が解決しようとする課題】
【０００５】
Ｒ８においては、対応するＤＬ割り付けを含むＰＤＣＣＨが無線フレームのサブフレーム（すなわち送信時間間隔（Ｔｒａｎｓｍｉｓｓｉｏｎ  Ｔｉｍｉｎｇ  Ｉｎｔｅｒｖａｌ：ＴＴＩ））において送信されたすぐ後に、同一サブフレームにおいて送信されるＰＤＳＣＨデータに基づき時間関係が確立される。ＰＤＳＣＨデータおよび対応するＰＤＣＣＨ  ＤＬ割り付けが異なったＣＣ上にて送信されるシナリオに対して、この時間関係を維持することは有益であるであろう。しかしながらこのシナリオは、ＤＬ受信の可能性のために２つのＣＣ（ＰＤＣＣＨを含むものとＰＤＳＣＨを含むもの）を監視しなければならないため、より高いバッテリー消費を必要とする可能性がある。したがってバッテリー消費を最小にするために、効率的なＤＲＸ方法を定義する必要がある。
【０００６】
一方、対応するＤＬ割り付けを含むＰＤＣＣＨと同一のサブフレームにおいてＰＤＳＣＨデータが送信されない場合、ＰＤＳＣＨのためにＣＣを監視する必要があるか否かがあらかじめ分るので、より高いバッテリー効率を達成することができる。しかし、この時間関係を壊すことで、解決すべき問題が発生してしまう。ＰＤＣＣＨ  ＤＬ割り付けおよびＰＤＳＣＨ受信の間に遅延が発生することになると、ＷＴＲＵがある期間の間にわたってＰＤＳＣＨを如何に見出すかを判定するために新しい手順を定義することが必要である。
【課題を解決するための手段】
【０００７】
キャリア・アグリゲーションを採用するＤＲＸ（Ｄｉｓｃｏｎｔｉｎｕｏｕｓ  Ｒｅｃｅｐｔｉｏｎ：不連続受信）モードにおいてＷＴＲＵ（Ｗｉｒｅｌｅｓｓ  Ｔｒａｎｓｍｉｔ／Ｒｅｃｅｉｖｅ  Ｕｎｉｔ：無線送受信装置）を動作させるための方法および装置が説明される。１つのシナリオにおいては、セル固有アクティブ時間の間、特定のサービングセルのＤＬ（ＤｏｗｎＬｉｎｋ：ダウンリンク）  ＣＣ（Ｃｏｍｐｏｎｅｎｔ  Ｃａｒｒｉｅｒ：コンポーネント・キャリヤ）上にてＰＤＳＣＨ（Ｐｈｙｓｉｃａｌ  ＤＬ  Ｓｈａｒｅｄ  ＣＨａｎｎｅｌ：物理ダウンリンク共有チャンネル）が受信され、これによりＤＬ  ＣＣがＵＬ（ＵｐＬｉｎｋ：アップリンク）ＣＣに関連付けられる。そしてそのセル固有アクティブ時間の間、特定のサービングセルに対するＤＬ割り付け、およびＵＬ  ＣＣに対するＵＬ許可のためにＰＤＣＣＨ（Ｐｈｙｓｉｃａｌ  ＤＬ  Ｃｏｎｔｒｏｌ  ＣＨａｎｎｅｌ：物理ダウンリンク制御チャンネル）が監視される。別のシナリオにおいては、ＰＤＣＣＨ受信のためにＣＣの第１のサブセットが構成され、そしてＰＤＣＣＨ受信のためにＣＣの第２のサブセットは構成されない。第１のサブセットにおけるＣＣのうちの少なくとも１つのＰＤＣＣＨアクティブ時間に基づき、第２のサブセットにおける少なくとも１つのＣＣにＤＲＸが適用される。
【図面の簡単な説明】
【０００８】
添付図面に関連して例として与えられた以下の説明から、より詳細な理解を得ることができる。
【図１】ＷＴＲＵおよびｅＮＢを含む無線通信システムを示す図である。
【図２】複数のＣＣの隣接帯域内キャリア・アグリゲーションの一例を示す図である。
【図３】ＷＴＲＵおよびｅＮＢを含む無線通信システムを示す図である。
【図４】図３の無線通信システムをさらに詳細に示す図である。
【発明を実施するための形態】
【０００９】
以降参照される場合、用語「無線送受信装置（Ｗｉｒｅｌｅｓｓ  Ｔｒａｎｓｍｉｔ／Ｒｅｃｅｉｖｅ  Ｕｎｉｔ：ＷＴＲＵ）」は、限定的ではなく、ユーザー機器（Ｕｓｅｒ  Ｅｑｕｉｐｍｅｎｔ：ＵＥ）、移動体端末、固定型または移動体の加入者装置、ページャー、携帯電話、携帯情報端末（Ｐｅｒｓｏｎａｌ  Ｄｉｇｉｔａｌ  Ａｓｓｉｓｔａｎｔ：ＰＤＡ）、コンピューター、または無線環境において動作する能力のある他の如何なる種別のデバイスをも含むものとする。
【００１０】
以降参照される場合、用語「ｅノードＢ（ｅｖｏｌｖｅｄ  Ｎｏｄｅ−Ｂ：ｅＮＢ）」は、限定的ではなく、基地局（ｂａｓｅ  ｓｔａｔｉｏｎ）、サイト制御装置、アクセス・ポイント（Ａｃｃｅｓｓ  Ｐｏｉｎｔ：ＡＰ）、または無線環境において動作する能力のある他の如何なる種別のインタフェイス・デバイスをも含む。
【００１１】
以降参照される場合、用語「ＤＬ  ＣＣ」は、限定的ではなく、「サービング（ｓｅｒｖｉｎｇ）セル」、「プライマリ・サービングセル（Ｐｒｉｍａｒｙ  ｓｅｒｖｉｎｇ  ｃｅｌｌ：Ｐｃｅｌｌ）」、または「セカンダリ・サービングセル（Ｓｅｃｏｎｄａｒｙ  ｓｅｒｖｉｎｇ  ｃｅｌｌ：Ｓｃｅｌｌ）」のＤＬを含むことができる。
【００１２】
以降参照される場合、用語「ＵＬ  ＣＣ」は、限定的ではなく、「サービング（ｓｅｒｖｉｎｇ）セル」、「プライマリ・サービングセル（Ｐｒｉｍａｒｙ  ｓｅｒｖｉｎｇ  ｃｅｌｌ：Ｐｃｅｌｌ）」、または「セカンダリ・サービングセル（Ｓｅｃｏｎｄａｒｙ  ｓｅｒｖｉｎｇ  ｃｅｌｌ：Ｓｃｅｌｌ）」のＵＬを含むことができる。
【００１３】
図１は、ＰＤＳＣＨ１１５、ＰＵＳＣＨ１２０、ＰＤＣＣＨ１２５、および物理アップリンク制御チャンネル（Ｐｈｙｓｉｃａｌ  ＵＬ  Ｃｏｎｔｒｏｌ  ＣＨａｎｎｅｌ：ＰＵＣＣＨ）１３０を介して通信する、ＷＴＲＵ１０５およびｅＮＢ１１０を含む無線通信システム１００を示す図である。ＷＴＲＵ１０５は、アンテナ１３５、受信機１４０、処理装置１４５、およびお送信機１５０を備える。処理装置１４５は、複数のＤＲＸ非アクティブ・タイマ１５５および複数のオン期間タイマ１６０を有する。ｅＮＢ１１０は、アンテナ１６５、受信機１７０、処理装置１７５、および送信機１８０を備える。処理装置１７５は、複数のＤＲＸ非アクティブ・タイマ１８５および複数のオン期間タイマ１９０を有する。
【００１４】
図２は、それぞれ２０ＭＨｚの帯域において動作する複数のＣＣの隣接帯域内キャリア・アグリゲーションの一例を示す図である。
【００１５】
各キャリアに準拠して定められたアクティブ時間
キャリア・アグリゲーションを採用するＤＲＸモードにおける動作の方法は、ＣＣ毎アクティブ時間の概念に基づく。この方法においては、ＷＴＲＵがＤＬ  ＣＣ上に位置するＰＤＣＣＨを監視するとき、「ＰＤＣＣＨアクティブ時間」が実装され、そしてＷＴＲＵがＤＬ  ＣＣ上に位置するＰＤＳＣＨを監視するとき「ＰＤＳＣＨアクティブ時間」が実装されるように、ＤＲＸ動作が拡張される。ＷＴＲＵは、ＰＤＣＣＨ中の少なくとも１つのサーチ・スペース（すなわち、ＷＴＲＵに対してＰＤＣＣＨシグナリングが存在する固有のリソース・ブロックおよびシンボル）を使用して、異なるＣＣに対する割り付け、および／または許可を監視する。
【００１６】
「サービングセル（ｓｅｒｖｉｎｇ  ｃｅｌｌ）」は、ＵＬ  ＣＣに関連付けることができるＤＬ  ＣＣを有する。「セル固有（ｃｅｌｌ−ｓｐｅｃｉｆｉｃ）アクティブ時間」は、ＰＤＳＣＨ受信のために構成されたＤＬ  ＣＣを含む、それぞれのサービングセルに対して定義される。セル固有アクティブ時間の間にＷＴＲＵは、このサービングセルに対する無線フレームの同一サブフレーム（すなわちＴＴＩ）において受信する可能な割り付けのために、関係するサービングセルのＰＤＳＣＨを受信（またはバッファ）し、このサービングセルに固有の少なくとも１つのサーチ・スペースにおいて、関係するサービングセルに対する割り付け、および関係するサービングセルに関連付けられるように構成されたＵＬ  ＣＣ（リソース）（そのようなＵＬ  ＣＣが存在しているなら）に対する許可のために、少なくとも１つのサービングセルのＰＤＣＣＨを監視する。ＷＴＲＵがその関係するサービングセルへの割り付けのためにＰＤＣＣＨを監視するサービングセルは、その関係するサービングセルと同一である場合もあり、同一でない場合もある。
【００１７】
個々のＤＬ  ＣＣは、ＰＤＣＣＨおよび／またはＰＤＳＣＨ送信を受信するように構成することができる。各々のアクティブなＤＬ  ＣＣに対するＤＲＸは、ＰＤＣＣＨアクティブ時間、ＰＤＳＣＨアクティブ時間、または両方の組み合わせに基づくことができる。ＤＲＸは各々のＤＬ  ＣＣに独立して適用することができ、必要であれば同期を強いることが可能ではあるが、ＣＣの間でＤＲＸを同期させるという要件はない。
【００１８】
ＰＤＣＣＨアクティブ時間は、ＷＴＲＵがＰＤＣＣＨを受信するように構成された各々のＤＬ  ＣＣに対して定義される。ＰＤＣＣＨアクティブ時間は、ＤＬ  ＣＣのＰＤＣＣＨから割り付けることができる各々のＤＬ  ＣＣのＰＤＳＣＨアクティブ時間を含むことができる。スケジュールすることができる各々のＤＬ  ＣＣは、ＰＤＳＣＨアクティブ時間を有する。あるいはまたＰＤＣＣＨアクティブ時間は、ＰＵＳＣＨアクティブ時間を含むことができ、この時間は、各々のＤＬ  ＣＣからのＵＬ  ＣＣ  ＰＵＳＣＨ動作に関する制御情報が、ＵＬ許可およびハイブリッド自動再送要求（Ｈｙｂｒｉｄ  Ａｕｔｏｍａｔｉｃ  Ｒｅｐｅａｔ  Ｒｅｑｕｅｓｔ：ＨＡＲＱ）フィードバックの受信のためにＤＬ  ＣＣを使用する時間である。このようなＵＬ  ＣＣは、以降「固定された（ａｎｃｈｏｒｅｄ）ＵＬ  ＣＣ」と呼ぶ。
【００１９】
ＰＵＳＣＨアクティブ時間は、ＷＴＲＵがＰＵＳＣＨを送信するように構成された各々のＵＬ  ＣＣに対して定められる。ＰＵＳＣＨアクティブ時間は、以下を含むことができる。すなわち、
ａ）固定されたＵＬ  ＣＣのＰＵＣＣＨ上にて送出されたスケジューリング要求が処理中である時間；
ｂ）処理中であるＨＡＲＱ再送のためのＵＬ許可を発生させることができ、および固定されたＵＬ  ＣＣのＵＬ−ＳＣＨに対して対応するＨＡＲＱバッファ中にデータがある時間；
ｃ）ＣＣ固有のＤＲＸ非アクティブ・タイマまたは他のＣＣ  ＤＲＸ非アクティブ・タイマが固定されたＵＬ  ＣＣに対してランしている時間；
ｄ）オプションとして、ＣＣ固有のオン期間タイマが固定されたＵＬ  ＣＣに対してランしている時間（ＵＬ  ＣＣに対してはそのようなタイマを定義する必要がない場合があることに注意されたい）；
ｅ）オプションとして（ＰＤＳＣＨアクティブ時間中に未だ含まれていない場合）、明示的に伝えられたプリアンブルに対するランダム・アクセス応答の受信に成功した後に、ＷＴＲＵのセル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ：Ｃ−ＲＮＴＩ）にアドレス指定された新規送信を表すＰＤＣＣＨが、受信されていない時間；
ｆ）オプションとして（ＰＤＳＣＨアクティブ時間中に未だ含まれていない場合）、ＭＡＣコンテンション解決（ｃｏｎｔｅｎｔｉｏｎ  ｒｅｓｏｌｕｔｉｏｎ）タイマがランしている時間；である。
【００２０】
「ＰＤＳＣＨアクティブ時間」は、ＷＴＲＵがＰＤＳＣＨを受信するように構成された各々のＵＬ  ＣＣに対して定義される。ＰＤＳＣＨアクティブ時間は、以下を含むことができる。すなわち、
１）ＣＣ固有のオン期間タイマ、ＤＲＸ非アクティブ・タイマ、他のＣＣ  ＤＲＸ非アクティブ・タイマ、ＤＲＸ再送信タイマ、またはＭＡＣコンテンション解決タイマがランしている時間；
２）明示的に伝えられたプリアンブルに対するランダム・アクセス応答の受信に成功した後に、ＷＴＲＵのセル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ：Ｃ−ＲＮＴＩ）にアドレス指定された新規送信を表すＰＤＣＣＨ（同一のまたは異なったＣＣ上での）を、受信していない時間；および
３）オプションとして、この同一のＤＬ  ＣＣのＰＤＣＣＨアクティブ時間；である。
【００２１】
ＤＲＸ動作に対しては、「セル固有アクティブ時間」が、ＰＵＣＣＨ上にて送出された
スケジューリング要求（Ｓｃｈｅｄｕｌｉｎｇ  Ｒｅｑｕｅｓｔ：ＳＲ）が処理中である時間を含む場合がある。セル固有アクティブ時間は、プライマリ・サービングセルに関係する場合がある。
【００２２】
ＤＲＸ動作に対しては、セル固有ティブ時間は、処理中であるＨＡＲＱ再送のためのＵＬ許可が発生することができ、関連付けられたＵＬ  ＣＣ（そのようなＵＬ  ＣＣが構成されている場合）のＵＬ−ＳＣＨに対して対応するＨＡＲＱバッファ中にデータがある間の時間を含むことができる。
【００２３】
ＤＲＸ動作に対しては、セル固有アクティブ時間は、ＷＴＲＵによって選択されなかったプリアンブルに対するランダム・アクセス応答の受信に成功した後に、ＷＴＲＵのＣ−ＲＮＴＩにアドレス指定された新規送信を表すＰＤＣＣＨが受信されていない時間を含むことができる。この時間は、プリアンブルを送信した（例えばプライマリ・サービングセルに関連付けられた）ＵＬ  ＣＣに関係するセル固有アクティブ時間として含めることができる。
【００２４】
ＤＲＸ動作に対して、セル固有アクティブ時間は、関係するサービングセルに適用可能なオン期間タイマが進行中の時間、関係するサービングセルに適用可能なＤＲＸ非アクティブ・タイマが進行中の時間、関係するサービングセルに適用可能なＤＲＸ再送信タイマが進行中の時間、またはＭＡＣコンテンション解決タイマが進行中の時間を含むことができる。この時間は、プライマリ・サービングセルに関係するセル固有アクティブ時間として含めることができる。
【００２５】
固有のＤＲＸ非アクティブ・タイマおよびオン期間タイマについては、以下の定義が適用されなければならない：すなわち、
１）ＤＬ  ＣＣに対するＤＲＸ非アクティブ・タイマ：このタイマがトリガーされた後に、このＣＣに対するＤＬ割り付けを提供する他の少なくとも１つのＤＬ  ＣＣのＰＤＣＣＨと並んで、このＣＣのＰＤＳＣＨを監視することができる時間であって、その時間の間の連続したサブフレームの数で規定；
２）ＵＬ  ＣＣに対するＤＲＸ非アクティブ・タイマ：このタイマがトリガーされた後に、このＣＣに対してＵＬ許可を提供する少なくとも１つのＤＬ  ＣＣのＰＤＣＣＨを監視することができる時間であって、その時間の間の連続したサブフレームの数で規定；
３）サービングセルに対するＤＲＸ非アクティブ・タイマ：このタイマがトリガーされた後に、このサービングセルのセル固有アクティブ時間がその間延長されるべき時間であって、その時間の間の連続したサブフレームの数で規定；
４）他のＣＣ  ＤＲＸ非アクティブ・タイマ：別のＣＣまたはサービングセルに対する（新規送信のための）ＤＬ割り付けまたはＵＬ許可によってのみこのタイマ（が定義される場合）をトリガーすることができるが、この場合を除いて上述したＤＲＸ非アクティブ・タイマのいずれかと同一の定義；
５）ＤＬ  ＣＣに対するオン期間タイマ：このＣＣに対するＤＬ割り付けを提供するＤＬ  ＣＣのＰＤＣＣＨと並んで、このＣＣのＰＤＳＣＨをＤＲＸサイクルの始めに監視することができる時間であって、その時間の間の連続したサブフレームの数で規定；
６）ＵＬ  ＣＣに対するオン期間タイマ：このＣＣに対するＤＬ許可を提供する少なくとも１つのＤＬ  ＣＣのＰＤＣＣＨをＤＲＸサイクルの始めに監視することができる時間であって、その時間の間の連続したサブフレームの数で規定；および
７）サービングセルに対するオン期間タイマ：このサービングセルのセル固有アクティブ時間がＤＲＸサイクルの始めから存在するべき時間であって、その時間の間の連続したサブフレームの最小の数で規定；である。
【００２６】
上述の別のタイマを始動させ、および停止させるための規則は各キャリアに準拠して実装される。したがって、構成パラメータ、短ＤＲＸサイクル、長ＤＲＸサイクル、ＤＲＸ開始オフセットおよびオン期間タイマに対する持続時間、ＤＲＸ非アクティブ・タイマ、ＤＲＸ再送信タイマおよびＤＲＸ短サイクル・タイマを、各キャリア（または各サービングセル）に準拠して定めることができる。また、これらのタイマのいくつかを、ＣＣまたはサービングセルの間で共有する（または同一である）ことも可能である（例えば、オン期間タイマを一連のＣＣのために共有することができる）。しかし、ＵＬ  ＣＣに対してはオン期間タイマを定義する必要がない場合がある。この場合には、関連付けられたパラメータおよびタイマ（短ＤＲＸサイクル、長ＤＲＸサイクル、ＤＲＸ開始オフセット、ＤＲＸ短サイクル・タイマ）もまた定義されない場合があり、そしてＵＬ  ＣＣおよびＵＬ  ＨＡＲＱ処理に対して、それぞれＤＲＸ再送信タイマおよびＨＡＲＱ往復遅延時間（Ｒｏｕｎｄ  Ｔｒｉｐ  Ｔｉｍｅ：ＲＴＴ）タイマを定義する必要がない場合がある。
【００２７】
加えて、以下の方法のうちの１つまたは組み合わせで、ＣＣ固有ＤＲＸ非アクティブ・タイマを扱うことができる。以下で使用される用語「トリガー（ｔｒｉｇｇｅｒ）」は、最初に始動することを意味し、またはその後の再始動も意味することを留意のこと。
【００２８】
ＣＣ固有ＤＲＸ非アクティブ・タイマは、新規送信がこのＣＣのＰＤＳＣＨ上にて受信された場合にＤＬ  ＣＣに対して、および新規送信がこのＣＣのＰＵＳＣＨに対して許可された場合にＵＬ  ＣＣに対してトリガーされる。
【００２９】
ＣＣ固有ＤＲＸ非アクティブ・タイマまたは他のＣＣ  ＤＲＸ非アクティブ・タイマは、新規送信が別のＤＬ（またはＵＬ）  ＣＣのＰＤＳＣＨ上で受信（またはＰＵＳＣＨに対して許可）された場合にＤＬまたはＵＬ  ＣＣに対してトリガーされる。この特性（ｐｒｏｐｅｒｔｙ）を有するＤＬまたはＵＬ  ＣＣのサブセットは、上位層により予め伝えることができる。
【００３０】
ＣＣ固有ＤＲＸ非アクティブ・タイマまたは他のＣＣ  ＤＲＸ非アクティブ・タイマは、許可およびＨＡＲＱフィードバックをこのＵＬ  ＣＣのために供給する同一のＤＬ  ＣＣ上のＰＤＣＣＨから示される何れのＣＣに対しても、ＵＬ  ＣＣ、ＤＬ割り付け、またはＵＬ許可に対して（何れの送信に対しても、あるいは新規送信に対してのみ）トリガーされる。
【００３１】
ＣＣ固有ＤＲＸ非アクティブ・タイマまたは他のＣＣ  ＤＲＸ非アクティブ・タイマは、ＤＬ割り付けをこのＵＬ  ＣＣに対して供給する同一のＤＬ  ＣＣ上のＰＤＣＣＨから示される何れのＣＣに対しても、ＤＬ  ＣＣ、ＤＬ割り付け、またはＵＬ許可に対して（何れの送信に対しても、あるいは新規送信に対してのみ）トリガーされる。
【００３２】
ＰＤＣＣＨに対して同一のＤＬ  ＣＣを使用するＣＣの集合毎に、単一のＤＲＸ非アクティブ・タイマまたは単一の他のＣＣ  ＤＲＸ非アクティブ・タイマを（それぞれ）実装することは可能である。
【００３３】
ＣＣ固有ＤＲＸ非アクティブ・タイマは、（ＵＬのみ、ＤＬのみ、またはＵＬおよびＤＬの両方の）ＣＣに対して、何れかのＣＣに対するＤＬ割り付けまたはＵＬ許可（何れの送信に対しても、あるいは新規送信に対してのみ）が何れかのＤＬ  ＣＣ上のＰＤＣＣＨから示された場合に、トリガーされる。すべてのＣＣに対して、単一のＤＲＸ非アクティブ・タイマまたは単一の他のＣＣ  ＤＲＸ非アクティブ・タイマを（それぞれ）実装することは可能である。この特性を有するＤＬまたはＵＬ  ＣＣのサブセットは、上位層により伝えることができる。
【００３４】
他のＣＣ  ＤＲＸ非アクティブ・タイマは、許可およびＨＡＲＱフィードバックをこのＵＬ  ＣＣのために供給する同一のＤＬ  ＣＣ上のＰＤＣＣＨから示される何れの他のＣＣに対しても、ＵＬ  ＣＣ、ＤＬ割り付け、またはＵＬ許可に対して（何れの送信に対しても、あるいは新規送信に対してのみ）トリガーされる。この特性を有するＤＬまたはＵＬ  ＣＣのサブセットは、上位層により伝えることができる。
【００３５】
他のＣＣ  ＤＲＸ非アクティブ・タイマは、ＤＬ割り付けをこのＣＣのために供給する同一のＤＬ  ＣＣ上のＰＤＣＣＨから示される何れの他のＣＣに対しても、ＤＬ  ＣＣ、ＤＬ割り付け、またはＵＬ許可に対して（何れの送信に対しても、あるいは新規送信に対してのみ）トリガーされる。ＰＤＣＣＨのために同一のＤＬ  ＣＣを使用するＣＣの集合毎に、単一のＤＲＸ非アクティブ・タイマまたは単一の他のＣＣ  ＤＲＸ非アクティブ・タイマを実施（それぞれ）することは可能である。この特性を有するＤＬまたはＵＬ  ＣＣのサブセットは、上位層により伝えることができる。
【００３６】
他のＣＣ  ＤＲＸ非アクティブ・タイマは、ＣＣ（ＵＬのみ、ＤＬのみ、またはＵＬおよびＤＬの両方の）に対して、他の何れかのＣＣのためのＤＬ割り付けまたはＵＬ許可（何れの送信に対しても、あるいは新規送信に対してのみ）が何れかのＤＬ  ＣＣ上のＰＤＣＣＨから示された場合にトリガーされる。
【００３７】
ＣＣ固有ＤＲＸ非アクティブ・タイマまたは他のＣＣ  ＤＲＸ非アクティブ・タイマは、ＤＬまたはＵＬ  ＣＣに対して、新規送信が別のＤＬ（またはＵＬ）  ＣＣのＰＤＳＣＨ上にて受信（またはＰＵＳＣＨに対して許可）された場合に、当該の他のＣＣに対するオン期間タイマが進行中であるという追加的条件によりトリガーされる。この特性を有するＤＬまたはＵＬ  ＣＣのサブセットは、上位層により予め伝えることができる。
【００３８】
他のＣＣ  ＤＲＸ非アクティブ・タイマは、ＣＣ（ＵＬのみ、ＤＬのみ、またはＵＬおよびＤＬの両方の）に対して、他の何れかのＣＣのためのＤＬ割り付けまたはＵＬ許可（何れの送信に対しても、あるいは新規送信に対してのみ）が何れかのＤＬ  ＣＣ上のＰＤＣＣＨから示された場合に、当該のＤＬ  ＣＣに対するオン期間タイマが進行中であるという追加的条件によりトリガーされる。この特性を有するＤＬ  ＣＣのサブセットは、上位層により予め伝えることができる。
【００３９】
サービングセル固有ＤＲＸ非アクティブ・タイマは、ＰＤＳＣＨ上にて新規送信が受信された場合、または新規送信がこのサービングセルに対するＰＵＳＣＨに対して許可された場合にトリガーされる。
【００４０】
サービングセル固有ＤＲＸ非アクティブ・タイマは、ＰＤＳＣＨ上で新規送信が受信された場合、または新規送信が別のサービングセルに対するＰＵＳＣＨに対して許可された場合にトリガーされる。この特性を有するサービングセルのサブセットは、上位層により構成することができる。
【００４１】
他のＣＣ  ＤＲＸ非アクティブ・タイマは、ＰＤＳＣＨ上にて新規送信が受信された、または新規送信が別のサービングセルに対するＰＵＳＣＨに対して許可された場合に、トリガーされる。この特性を有するサービングセルのサブセットは、上位層により構成することができる。
【００４２】
すべてのＣＣに対して、単一のＤＲＸ非アクティブ・タイマまたは単一の他のＣＣ  ＤＲＸ非アクティブ・タイマを（それぞれ）実装することが可能である。
【００４３】
ＤＲＸ非アクティブ・タイマまたは他のＣＣ  ＤＲＸ非アクティブ・タイマの始動または再開を含む、上述の何れの場合においても、トリガーとなるイベント、およびＤＲＸ非アクティブ・タイマまたは他のＣＣ  ＤＲＸ非アクティブ・タイマの実際の始動または再始動の間で数サブフレーム分の遅延が必要な場合がある。このため、関係するＣＣ上での受信をアクティブにするための「起動」時間が認められる。
【００４４】
それらが構成されている各々のＤＬおよび／またはＵＬ  ＣＣに関するトラフィックの要件に対して、ＤＲＸタイマ（サイクル、オン期間、非アクティブ、再送信）を最適化することができる。ＰＤＣＣＨを伝達しない各々個別のＵＬまたはＤＬ  ＣＣは、必要な受信期間（ＰＤＳＣＨまたはＰＵＳＣＨのアクティブ時間）がＰＤＣＣＨを伝達する関連付けられたＣＣで組み合わされた一連の受信期間（ＰＤＣＣＨアクティブ時間）のサブセットに含まれるように、構成することができる。
【００４５】
その上、チャンネル品質表示子（Ｃｈａｎｎｅｌ  Ｑｕａｌｉｔｙ  Ｉｎｄｉｃａｔｏｒ：ＣＱＩ）／プリコーディング・マトリックス表示子（Ｐｒｅｃｏｄｉｎｇ  Ｍａｔｒｉｘ  Ｉｎｄｅｘ：ＰＭＩ）／ランク表示子（Ｒａｎｋ  Ｉｎｄｉｃａｔｏｒ：ＲＩ）およびサウンディング基準信号（Ｓｏｕｎｄｉｎｇ  Ｒｅｆｅｒｅｎｃｅ  Ｓｙｍｂｏｌ：ＳＲＳ）の送信に関して以下の規則を適用することができ、それにより、このＣＣがＰＤＳＣＨアクティブ時間中にない場合、または対応するサービングセルがセル固有アクティブ時間中にない場合には、ＣＣのＤＬ−ＳＣＨに関係するＣＱＩ／ＰＭＩ／ＲＩは報告されず、このＣＣがＰＵＳＣＨアクティブ時間中にない場合、または対応するサービングセルがセル固有アクティブ時間中にない場合には、ＵＬ  ＣＣのＵＬ−ＳＣＨに関係するＳＲＳは報告されない。
【００４６】
ＰＤＣＣＨを有する各キャリアに準拠して定義されたアクティブ時間
あるいはまたＰＤＣＣＨアクティブ時間が単に、ＰＤＣＣＨを持つべく構成されたそれぞれのＤＬ  ＣＣに対して定義される場合がある。短ＤＲＸサイクル、長ＤＲＸサイクル、およびＤＲＸ始動オフセット・パラメータ、ならびにオン期間タイマ、ＤＲＸ非アクティブ・タイマ、ＤＲＸ再送信タイマ、およびＤＲＸ短サイクル・タイマが、ＰＤＣＣＨ受信のために構成されたＤＬ  ＣＣに対してのみ定義される。これらのタイマを始動させ、および停止させるための規則は、ＰＤＣＣＨ受信のために構成されたそれぞれのＤＬ  ＣＣに対して独立なＰＤＣＣＨアクティブ時間があることを除いては、以前から知られている従来の規則と同様であることができる。さらに加えて、ここでこのＤＬ  ＣＣから許可およびＨＡＲＱフィードバックを受信しているＵＬ  ＣＣにおけるそれらのＵＬ送信に対してのみ、ＰＤＣＣＨ受信に対して構成されたそれぞれのＤＬ  ＣＣに対して、ＵＬ送信に関係する従来のトリガー規則を適用することができる。
【００４７】
ＰＤＣＣＨを伝達する特定のＣＣから割り付けられたＰＤＳＣＨ送信を含むことができるＰＤＣＣＨのない他のＤＬ  ＣＣは、ＰＤＣＣＨを伝達するこのＣＣのＰＤＣＣＨアクティブ時間により定義された同一のＤＲＸを適用することができる。この解決法により、ＰＤＣＣＨのない各々のＤＬ  ＣＣについて、および各々のＵＬ  ＣＣについてＤＲＸタイマを維持する必要はなくなるが、ＤＲＸタイマを各々のＣＣに対して最適化する可能性はなくなる。
【００４８】
ＰＤＣＣＨを持たないＣＣに対してＤＬ割り付けを提供することができるＰＤＣＣＨを受信するように構成されたＣＣがいくつかある場合においては、このＰＤＣＣＨを持たないＣＣに対するＤＲＸは、ＰＤＣＣＨを有し、このＣＣのためにＰＤＳＣＨ割り付けを提供することができるＣＣ群のＰＤＣＣＨアクティブ時間の合計である。あるいはまた、所与のＣＣのためのＤＬ割り付けを提供することができるＰＤＣＣＨを受信するように構成されたいくつかのＣＣからの１つの「主（ｐｒｉｍａｒｙ）」ＣＣのＰＤＣＣＨアクティブ時間を、このＣＣに対するＰＤＳＣＨアクティブ時間を定義するために、選択することができる。
【００４９】
ＰＤＣＣＨを有する各キャリアについて定義されたアクティブ時間および遅延ＤＬ  ＳＣＨ受信
ＰＤＳＣＨ送信は現時点で、この送信のＰＤＣＣＨ割り付けに対して遅延されていない。したがって、１つのＣＣ（ＣＣ＃ｘ）上のＰＤＣＣＨが、別のＣＣ（ＣＣ＃ｙ）に対してＰＤＳＣＨを配分することができる場合には、このＣＣ（ＣＣ＃ｙ）上の割り付けがない場合にさえ、１つのＣＣ（ＣＣ＃ｘ）上のＰＤＣＣＨを完全に受信する前に、その他方のＣＣ（ＣＣ＃ｙ）上のＰＤＳＣＨおよび共通参照シンボルの受信を開始することができるため、その他方のＣＣ（ＣＣ＃ｙ）上の受信を可能にすることができる。別のＣＣ上で対応するＰＤＣＣＨ割り付けを受信した場合にのみ、ＰＤＳＣＨのみ受信するＣＣが起動するように構成することができるようにするため、ＰＤＳＣＨ送信を、ＰＤＳＣＨ  ＣＣ受信およびＰＤＣＣＨ処理時間のアクティブ化を可能にさせるようＰＤＣＣＨに対比して遅延させることができる。
【００５０】
あるいはまた、その上のＰＤＣＣＨ割り付けが受信されたＣＣと異なったＣＣ上のＰＤＳＣＨの送信が起動された場合には、ＰＤＳＣＨ送信はＰＤＣＣＨ割り付けからｋサブフレームだけ遅延させることができる。その上、何れのＤＬ  ＣＣがＲ１０  ＷＴＲＵに対して割り当てられるかに拘わらず、すべてのＰＤＳＣＨ送信をＰＤＣＣＨ割り付けに対比して遅延させることができる。
【００５１】
これらのアプローチの何れかにより、構成されたＰＤＣＣＨを有さないＣＣ上のＤＲＸは、既存のＤＲＸタイマ（例えばＤＲＸサイクル、オン期間、非アクティブ、再送信タイマ）によって定義されたＤＲＸアクティブ時間を必要としなくなる。ＷＴＲＵは、他のＣＣ上のＰＤＣＣＨアクティブ時間の間は、ＰＤＣＣＨを有さないＣＣ上で常に受信する必要はない。
【００５２】
このＷＴＲＵのために他のＣＣ上で受信したＰＤＣＣＨ割り付けにより、ＰＤＣＣＨを有さないＣＣ上のＤＲＸを統御することができる。受信は、ＰＤＣＣＨ割り付けを受信している場合にのみ可能になる。
【００５３】
ＰＤＳＣＨ送信がｋサブフレームだけ遅延されるため、ＵＬ  ＨＡＲＱフィードバックもまた、ｋサブフレームだけ遅延される。ＰＤＣＣＨ割り付けに対比して、ＨＡＲＱフィードバックはｋ＋４サブフレームにて受信することになる。このことにより、遅延されたＰＤＳＣＨによる割り付けおよびＣＣ間のフィードバック、ならびにＰＤＣＣＨおよびＰＤＳＣＨが同一ＣＣ上にある場合の遅延されないＰＤＳＣＨおよびフィードバックの間の、フィードバック衝突をもたらす可能性がある。遅延ＰＤＳＣＨ、およびさらに同一ＣＣの場合のフィードバック、またはＵＬ  ＣＣよりＤＬ  ＣＣが多い場合に使用される同一のメカニズムによる集約フィードバックを含むいくつかの可能な解決法が存在する。
【００５４】
遅延されたＰＤＳＣＨ送信のため、追加のＤＬ  ＨＡＲＱ処理が必要となる。現在は、８サブフレームのＨＡＲＱ処理ＲＴＴがある。ｋサブフレームの遅延されたＰＤＳＣＨによって、ｋサブフレームだけＤＬ  ＨＡＲＱ  ＲＴＴを増加させることができる。連続したＰＤＳＣＨ送信を可能とするために、追加のＨＡＲＱ処理を必要とする場合がある。
【００５５】
ＤＬ  ＨＡＲＱ  ＲＴＴおよびＤＬ  ＨＡＲＱ処理の数を増加させる１つの方策としては、ＰＤＣＣＨおよび／またはＰＤＳＣＨ処理時間を短縮することが考えられる。例えば、ｋ＝２でＰＤＣＣＨ処理が２サブフレームに削減され、ＣＣの間の受信ＰＤＳＣＨ受信を２サブフレームに削減可能であるなら、既存のＨＡＲＱ  ＲＴＴおよびＨＡＲＱ処理の数を維持することができる。
【００５６】
別の考慮すべき事柄は、ＷＴＲＵの間の時間領域におけるＵＬフィードバック衝突である。遅延のないＲ８  ＷＴＲＵは、遅延があるリリース１０  ＷＴＲＵの後ｋサブフレームにスケジュールされる。この衝突に対しては、ＵＬ  ＣＣをさらに遅延したフィードバックに割り付けるか、または割り付けないかの何れかを含むいくつかの解決法を考慮することができる。所与のＵＬ  ＣＣ上にて構成されたすべてのＷＴＲＵは、さらに遅延したフィードバックを有するか、または有さないかの何れかであろう。あるいはまた、高性能のｅＮＢスケジューラは、さらに遅延したフィードバックと、さらに遅延していないフィードバックとの間の切り換え点を最小にすることができる。フィードバックの間で切り換え待ち時間が発生すると、スケジューラは、スケジューリング・ギャップを実行し、フィードバック衝突を回避することができる。
【００５７】
あるいはまた、ＰＤＣＣＨ配分のないＣＣ（ＣＣ＃ｙ）のサブフレーム時間境界は、もう一方のＣＣ（ＣＣ＃ｘ）上でのＰＤＣＣＨ受信が（最大シンボル＃３まで）完了し、処理された後に、ＰＤＳＣＨおよび共通参照シンボルの受信を開始することができるように、時間的に変化することができる。例えば、ＰＤＣＣＨを持つＣＣのシンボル＃８と同一にてＰＤＣＣＨ配分のないＣＣのシンボル＃０を送信することができる。これにより、ＷＴＲＵが４つのシンボルまたはサブフレーム４／１４において、ＰＤＣＣＨを処理することが可能となる。このアプローチにより、ＵＬ  ＨＡＲＱフィードバックを送出するためのＰＤＳＣＨ処理時間に関する要件は、Ｒ８に比し大きな影響を与えるものではなくなる（すなわち、処理時間はサブフレームの５／１４のみだけ削減することができる）。
【００５８】
再び図１を参照すると、ＷＴＲＵ１０５中の処理装置１４５は、少なくとも１つのＤＲＸ非アクティブ・タイマ１５５、および少なくとも１つのオン期間タイマ１６０を備える。ＷＴＲＵ１０５は、キャリア・アグリゲーションを採用するＤＲＸモードにおいて動作し、アクティブ時間の間に、ＰＤＣＣＨ受信の構成のないＣＣについて、ＤＬ送信を受信するか、またはＵＬ送信を送信し、ＤＬ割り付けまたはＵＬ許可を含む共有チャンネル動的配分のためにＰＤＳＣＨを監視し、ＰＤＳＣＨアクティブ時間またはＰＵＳＣＨアクティブ時間に基づきＣＣにＤＲＸを適用する。
【００５９】
あるいはまた、ＷＴＲＵ１０５中の処理装置１４５は、キャリア・アグリゲーションを採用するＤＲＸモードにおいて動作し、アクティブ時間の間に、ＣＣの第１のサブセットがＰＤＣＣＨ受信のために構成され、かつＣＣの第２のサブセットがＰＤＣＣＨ受信のために構成されていない複数のＣＣ上にて、ＤＬ送信を受信するかまたはＵＬ送信を送信し、第１のサブセットにおける少なくとも１つのＣＣのＰＤＣＣＨアクティブ時間に基づき第２のサブセットにおける少なくとも１つのＣＣにＤＲＸを適用する。
【００６０】
図３は、Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）２０５を含むＬＴＥ無線通信システム／アクセス・ネットワーク２００を示す図である。Ｅ−ＵＴＲＡＮ２０５はいくつかのｅＮＢ２２０を含む。ＷＴＲＵ２１０は、ｅＮＢ２２０と通信状態にある。ｅＮＢ２２０は、Ｘ２インタフェイスを使用して互いにインタフェイスする。ｅＮＢｓ２２０の各々は、Ｓｌインタフェイスを通して移動体管理エンティティ（Ｍｏｂｉｌｉｔｙ  Ｍａｎａｇｅｍｅｎｔ  Ｅｎｔｉｔｙ：ＭＭＥ）／サービングゲートウェイ（Ｓｅｒｖｉｎｇ  ＧａｔｅＷａｙ：Ｓ−ＧＷ）２３０とインタフェイスする。図３において、１つのＷＴＲＵ２１０および３つのｅＮＢ２２０を示すが、無線通信システム・アクセス・ネットワーク２００には、無線および有線の装置の何れの組み合わせをも含むことができることは、至極自明である。
【００６１】
図４は、ＷＴＲＵ２１０、ｅＮＢ２２０およびＭＭＥ／Ｓ−ＧＷ２３０を含むＬＴＥ無線通信システム３００の例示のためのブロック図である。図４に示すように、ＷＴＲＵ２１０、ｅＮＢ２２０、およびＭＭＥ／Ｓ−ＧＷ２３０は、上述したようにキャリア毎のアクティブ時間に基づきＤＲＸを実行するように構成される。
【００６２】
一般的なＷＴＲＵが通常備えるコンポーネントに加えて、ＷＴＲＵ２１０は、オプションとしてメモリ３２２に結合した処理装置３１６、少なくとも１つの送受信機３１４、オプションのバッテリー３２０およびアンテナ３１８を備える。処理装置３１６は、上述したようにキャリア毎のアクティブ時間に基づきＤＲＸを実行するように構成される。送受信機３１４は、処理装置３１６およびアンテナ３１８と通信状態にあり、無線通信の送信および受信を容易にする。バッテリー３２０は、ＷＴＲＵ２１０において使用する場合、送受信機３１４および処理装置３１６に電源を供給する。
【００６３】
ＷＴＲＵ２１０は、ＤＲＸ動作を実行するように構成される。送受信機３１４は、ＰＤＣＣＨの受信のためにＤＬ  ＣＣを監視するように構成され、処理装置３１６は、ＷＴＲＵ２１０がＰＤＣＣＨを受信するように構成された、各々のＤＬ  ＣＣについてＰＤＣＣＨアクティブ時間を判定するように構成される。送受信機３１４はまた、ＰＤＳＣＨの受信のためにＤＬ  ＣＣを監視するように構成することができ、処理装置３１６は、ＷＴＲＵ２１０がＰＤＳＣＨを受信するように構成される各々のＤＬ  ＣＣについて、ＰＤＳＣＨアクティブ時間を判定するように構成される。
【００６４】
一般的なｅＮＢが通常備えるコンポーネントに加えて、ｅＮＢ２２０は、オプションとしてメモリ３１５に結合された処理装置３１７、送受信機３１９、およびアンテナ３２１を備える。処理装置３１７は、上述したようにキャリア毎のアクティブ時間に基づきＤＲＸの方法を実行するように構成される。送受信機３１９は、処理装置３１７およびアンテナ３２１と通信状態にあり、無線通信の送信および受信を容易にする。ｅＮＢ２２０は、オプションとして結合されたメモリ３３４を持つ処理装置３３３を備える、ＭＭＥ／Ｓ−ＧＷ２３０に接続される。
【００６５】
実施形態
１．
ＷＴＲＵ（Ｗｉｒｅｌｅｓｓ  Ｔｒａｎｓｍｉｔ／Ｒｅｃｅｉｖｅ  Ｕｎｉｔ：無線送受信装置）により実施され、キャリア・アグリゲーションを採用するＤＲＸ（Ｄｉｓｃｏｎｔｉｎｕｏｕｓ  Ｒｅｃｅｐｔｉｏｎ：不連続受信）モードにおいて動作する方法であって：
セル固有アクティブ時間の間に、特定のサービングセルのＤＬ  ＣＣ（Ｃｏｍｐｏｎｅｎｔ  Ｃａｒｒｉｅｒ：コンポーネント・キャリヤ）上にてＰＤＳＣＨ（Ｐｈｙｓｉｃａｌ  ＤＬ  Ｓｈａｒｅｄ  ＣＨａｎｎｅｌ：物理ダウンリンク共有チャンネル）を受信するステップと、
前記セル固有アクティブ時間の間に、前記特定のサービングセルに対するＤＬ割り付けのためのＰＤＣＣＨ（Ｐｈｙｓｉｃａｌ  ＤＬ  Ｃｏｎｔｒｏｌ  ＣＨａｎｎｅｌ：物理ダウンリンク制御チャンネル）を監視するステップと
を具備することを特徴とする方法。
【００６６】
２．
前記ＤＬ  ＣＣが、ＵＬ（ＵｐＬｉｎｋ：アップリンク）  ＣＣに関連付けられ、そして前記ＰＤＣＣＨがまた、前記ＵＬ  ＣＣに対するＵＬ許可のために監視されることを特徴とする実施形態１記載の方法。
【００６７】
３．
前記ＰＤＣＣＨが、前記特定のサービングセルに固有な少なくとも１つのサーチ・スペースにおいて監視されることを特徴とする実施形態１又は２記載の方法。
【００６８】
４．
前記ＰＤＣＣＨが、前記特定のサービングセルと異なるサービングセルのＤＬ  ＣＣ上に位置することを特徴とする実施形態１ないし３のいずれか１つに記載の方法。
【００６９】
５．
前記特定のサービングセルの前記ＤＬ  ＣＣが、ＰＤＣＣＨ受信のために構成されないことを特徴とする実施形態１ないし４のいずれか１つに記載の方法。
【００７０】
６．
前記ＰＤＣＣＨが、前記特定のサービングセルのＤＬ  ＣＣ上に位置することを特徴とする実施形態１ないし５のいずれか１つに記載の方法。
【００７１】
７．
前記特定のサービングセルに対して前記ＷＴＲＵにおいてＤＲＸ非アクティブ・タイマを設定するステップをさらに具備することを特徴とする実施形態１ないし６のいずれか１つに記載の方法。
【００７２】
８．
前記特定のサービングセルに対する前記ＤＲＸ非アクティブ・タイマが、前記ＤＲＸ非アクティブ・タイマがトリガーされた後、前記特定のサービングセルのセル固有アクティブ時間が延長される間、連続したサブフレームの数を指定することを特徴とする実施形態７記載の方法。
【００７３】
９．
前記特定のサービングセルに対して前記ＷＴＲＵにおいてオン期間タイマを設定するステップをさらに具備することを特徴とする実施形態１ないし８のいずれか１つに記載の方法。
【００７４】
１０．
前記特定のサービングセルに対する前記オン期間タイマが、ＤＲＸサイクルの前記開始から、前記サービングセルのセル固有アクティブ時間が存在する間、連続したサブフレームの最小数を指定することを特徴とする実施形態９記載の方法。
【００７５】
１１．
ＷＴＲＵ（Ｗｉｒｅｌｅｓｓ  Ｔｒａｎｓｍｉｔ／Ｒｅｃｅｉｖｅ  Ｕｎｉｔ：無線送受信装置）により実施され、キャリア・アグリゲーションを採用するＤＲＸ（Ｄｉｓｃｏｎｔｉｎｕｏｕｓ  Ｒｅｃｅｐｔｉｏｎ：不連続受信）モードにおいて動作する方法であって：
アクティブ時間の間に、複数のＣＣ（Ｃｏｍｐｏｎｅｎｔ  Ｃａｒｒｉｅｒ：コンポーネント・キャリヤ）上にて、ＤＬ（ＤｏｗｎＬｉｎｋ：ダウンリンク）送信を受信するステップまたはＵＬ（ＵｐＬｉｎｋ：アップリンク）送信を送信するステップであって、前記ＣＣの第１のサブセットが、ＰＤＣＣＨ（Ｐｈｙｓｉｃａｌ  ＤＬ  Ｃｏｎｔｒｏｌ  ＣＨａｎｎｅｌ：物理ダウンリンク制御チャンネル）受信のために構成され、そして前記ＣＣの第２のサブセットが、ＰＤＣＣＨ受信のためには構成されないことと、
前記第１のサブセットにおける前記ＣＣの少なくとも１つのＰＤＣＣＨアクティブ時間に基づき前記第２のサブセットにおける少なくとも１つのＣＣにＤＲＸを適用するステップと
を具備することを特徴とする方法。
【００７６】
１２．
前記第２のサブセットにおける前記少なくとも１つのＣＣへのＤＲＸの前記適用が：
ＤＬ  ＣＣ、ＵＬ  ＣＣ、またはサービングセルのうちの１つに対して前記ＷＴＲＵにおいてＤＲＸ非アクティブ・タイマを設定するステップ
を具備することを特徴とする実施形態１１記載の方法。
【００７７】
１３．
前記ＤＬ  ＣＣに対する前記ＤＲＸ非アクティブ・タイマが、前記ＤＲＸ非アクティブ・タイマがトリガーされた後に、前記ＤＬ  ＣＣに対する前記ＰＤＳＣＨおよび前記ＤＬ  ＣＣに対するＤＬ割り付けを供給する少なくとも１つの他のＣＣのＰＤＣＣＨがその間監視されるべき連続したサブフレームの数を指定することを特徴とする実施形態１２記載の方法。
【００７８】
１４．
前記ＵＬ  ＣＣに対する前記ＤＲＸ非アクティブ・タイマが、前記ＤＲＸ非アクティブ・タイマがトリガーされた後、前記ＵＬ  ＣＣに対してＵＬ許可を供給する少なくとも１つの他のＣＣの前記ＰＤＣＣＨが監視される間、連続したサブフレームの数を指定することを特徴とする実施形態１２記載の方法。
【００７９】
１５．
前記サービングセルに対する前記ＤＲＸ非アクティブ・タイマが、前記ＤＲＸ非アクティブ・タイマがトリガーされた後に、前記サービングセルのセル固有アクティブ時間が延長される間、連続したサブフレームの数を指定することを特徴とする実施形態１２記載の方法。
【００８０】
１６．
前記第２のサブセットにおける前記少なくとも１つのＣＣへのＤＲＸの前記適用が：
異なるＣＣまたはサービングセルに対するＤＬ割り付けまたはＵＬ許可によってトリガーされる前記ＷＴＲＵにおいてＤＲＸ非アクティブ・タイマを設定するステップ
を具備することを特徴とする実施形態１１記載の方法。
【００８１】
１７．
前記第２のサブセットにおける前記少なくとも１つのＣＣへのＤＲＸの前記適用が：
ＤＬ  ＣＣ、ＵＬ  ＣＣ、またはサービングセルのうちの１つに対して前記ＷＴＲＵにおいてオン期間タイマを設定するステップ
を具備することを特徴とする実施形態１１記載の方法。
【００８２】
１８．
前記ＤＬ  ＣＣに対する前記オン期間タイマが、前記ＤＲＸサイクルの開始にて、前記ＤＬ  ＣＣに対する前記ＰＤＳＣＨおよび前記ＤＬ  ＣＣに対するＤＬ割り付けを供給する少なくとも１つの他のＣＣのＰＤＣＣＨが監視される間、連続したサブフレームの数を指定することを特徴とする実施形態１７記載の方法。
【００８３】
１９．
前記ＵＬ  ＣＣに対する前記オン期間タイマが、前記ＤＲＸサイクルの開始にて、前記ＵＬ  ＣＣに対するＵＬ許可を供給する少なくとも１つの他のＣＣの前記ＰＤＣＣＨが監視される間、連続したサブフレームの数を指定することを特徴とする実施形態１７記載の方法。
【００８４】
２０．
前記サービングセルに対する前記オン期間タイマが、ＤＲＸサイクルの前記開始から、前記サービングセルのセル固有アクティブ時間がその間存在するべき連続したサブフレームの最小数を指定することを特徴とする実施形態１７記載の方法。
【００８５】
２１．
無線送受信装置（ＷＴＲＵ）であって、
送信機と、
受信機と、
少なくとも１つのＤＲＸ（Ｄｉｓｃｏｎｔｉｎｕｏｕｓ  Ｒｅｃｅｐｔｉｏｎ：不連続受信）非アクティブ・タイマおよび少なくとも１つのオン期間タイマを具備するプロセッサとを具え、当該ＷＴＲＵは、キャリア・アグリゲーションを採用するＤＲＸモードにおいて動作し、セル固有アクティブ時間の間、特定のサービングセルのＤＬ  ＣＣ（Ｃｏｍｐｏｎｅｎｔ  Ｃａｒｒｉｅｒ：コンポーネント・キャリヤ）上でＰＤＳＣＨ（Ｐｈｙｓｉｃａｌ  ＤＬ（ＤｏｗｎＬｉｎｋ)  Ｓｈａｒｅｄ  ＣＨａｎｎｅｌ：物理ダウンリンク共有チャンネル）を受信し、前記ＤＬ  ＣＣがＵＬ（ＵｐＬｉｎｋ：アップリンク）  ＣＣに関連付けられ、前記セル固有アクティブ時間の間、前記特定のサービングセルに対するＤＬ割り付けおよび前記ＵＬに対するＵＬ許可のために、ＰＤＣＣＨ（Ｐｈｙｓｉｃａｌ  ＤＬ  Ｃｏｎｔｒｏｌ  ＣＨａｎｎｅｌ：物理ダウンリンク制御チャンネル）を監視することを特徴とするＷＴＲＵ。
【００８６】
２２．
無線送受信装置（ＷＴＲＵ）であって、
送信機と、
受信機と、
少なくとも１つのＤＲＸ（Ｄｉｓｃｏｎｔｉｎｕｏｕｓ  Ｒｅｃｅｐｔｉｏｎ：不連続受信）非アクティブ・タイマおよび少なくとも１つのオン期間タイマを有するプロセッサとを具え、当該ＷＴＲＵは、キャリア・アグリゲーションを採用するＤＲＸモードにおいて動作し、アクティブ時間の間、前記ＣＣの第１のサブセットがＰＤＣＣＨ（Ｐｈｙｓｉｃａｌ  ＤＬ  Ｃｏｎｔｒｏｌ  ＣＨａｎｎｅｌ：物理ダウンリンク制御チャンネル）受信のために構成されおよび前記ＣＣの第２のサブセットがＰＤＣＣＨ受信のために構成されない、複数のＣＣ（Ｃｏｍｐｏｎｅｎｔ  Ｃａｒｒｉｅｒ：コンポーネント・キャリヤ）上で、ＤＬ（ＤｏｗｎＬｉｎｋ：ダウンリンク)送信を受信するかまたはＵＬ（ＵｐＬｉｎｋ：アップリンク）送信を送信し、前記第１のサブセットにおける少なくとも１つのＣＣのＰＤＣＣＨアクティブ時間に基づき前記第２のサブセットにおける少なくとも１つのＣＣにＤＲＸを適用することを特徴とするＷＴＲＵ。
【００８７】
特徴および要素は特定の組み合わせで上述したが、各々の特徴または要素は、他の特徴および要素なしで単独で、または他の特徴および要素のあるなしに拘わらず様々な組み合わせで使用することができる。ここに提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、リード・オンリー・メモリ（Ｒｅａｄ  Ｏｎｌｙ  Ｍｅｍｏｒｙ：ＲＯＭ）、ランダム・アクセス・メモリ（Ｒａｎｄｏｍ  Ａｃｃｅｓｓ  Ｍｅｍｏｒｙ：ＲＡＭ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびデジタル多用途ディスク（Ｄｉｇｉｔａｌ  Ｖｅｒｓａｔｉｌｅ  Ｄｉｓｋ：ＤＶＤ）などの光学媒体が含まれる。
【００８８】
適当な処理装置の例としては、汎用目的処理装置、専用目的処理装置、従来の処理装置、デジタル信号処理装置（Ｄｉｇｉｔａｌ  Ｓｉｇｎａｌ  Ｐｒｏｃｅｓｓｏｒ：ＤＳＰ）、複数のマイクロ処理装置、ＤＳＰコアに関連付けられた１つまたは複数のマイクロ処理装置、制御装置、マイクロ制御装置、特定用途向けＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、Ｆｉｅｌｄ  Ｐｒｏｇｒａｍｍａｂｌｅ  Ｇａｔｅ  Ａｒｒａｙ（ＦＰＧＡ）回路、他の何れかの種別の集積回路（Ｉｎｔｅｇｒａｔｅｄ  Ｃｉｒｃｕｉｔ：ＩＣ）、および／または状態マシンが含まれる。
【００８９】
ＷＴＲＵ、ＵＥ、端末、基地局（ｂａｓｅ  ｓｔａｔｉｏｎ）、無線ネットワーク制御装置（Ｒａｄｉｏ  Ｎｅｔｗｏｒｋ  Ｃｏｎｔｒｏｌｌｅｒ：ＲＮＣ）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線装置、ＬＣＤ（Ｌｉｑｕｉｄ  Ｃｒｙｓｔａｌ  Ｄｉｓｐｌａｙ：液晶表示）表示装置、ＯＬＥＤ（Ｏｒｇａｎｉｃ  Ｌｉｇｈｔ−Ｅｍｉｔｔｉｎｇ  Ｄｉｏｄｅ：有機発光ダイオード）表示装置、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールもしくはＵＷＢ（Ｕｌｔｒａ  Ｗｉｄｅ  Ｂａｎｄ：超広帯域）モジュールなどのモジュールと連動して使用することができる。
【図１】
2020065312.tif 000003
【図２】
2020065312.tif 000004
【図３】
2020065312.tif 000005
【図４】
2020065312.tif 000006
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
無線送受信装置（ＷＴＲＵ）であって、
周波数帯構成情報を受信するように構成された送受信機であって、前記周波数帯構成情報は、複数の周波数帯を示す、送受信機と、
前記送受信機に動作可能に結合されたプロセッサと、を備え、前記プロセッサおよび送受信機は、前記複数の周波数帯の中から第１の周波数帯における物理ダウンリンク制御チャネル（ＰＤＣＣＨ）を監視するように構成されており、
前記プロセッサおよび送受信機は、前記第１の周波数帯における前記ＰＤＣＣＨのうちの１つへのダウンリンク割り付けを検出したことに応答して、前記ダウンリンク割り付けによって示された前記複数の周波数帯の中からの第２の周波数帯において割り付けられたサブキャリア上で物理ダウンリンク共有チャネル（ＰＤＳＣＨ）を受信するようにさらに構成されており、
前記ＰＤＳＣＨは、前記ダウンリンク割り付けの前記監視されたＰＤＣＣＨの終了の後の遅延時間間隔において受信され、
前記ＰＤＳＣＨに対するＨＡＲＱフィードバックについてのアップリンク物理アップリンク制御チャネルの期間は、前記ＷＴＲＵに割り付けられ、
前記プロセッサおよび前記送受信機は、前記割り付けられた期間において前記ＨＡＲＱフィードバックを送信するように構成されている、
ことを特徴とするＷＴＲＵ。
【請求項２】
前記送受信機は、不連続受信（ＤＲＸ）構成情報を受信するようにさらに構成されており、
前記プロセッサおよび送受信機は、前記受信されたＤＲＸ構成情報に応答して、前記受信されたＤＲＸ構成情報から導出されたアクティブ時間の間に前記ＰＤＣＣＨを監視するように構成されている、
ことを特徴とする請求項１に記載のＷＴＲＵ。
【請求項３】
前記アクティブ時間は、前記複数の周波数帯に対する単一のＤＲＸアクティブタイマを使用して導出される、ことを特徴とする請求項２に記載のＷＴＲＵ。
【請求項４】
無線送受信装置（ＷＴＲＵ）によって、周波数帯構成情報を受信するステップであって、前記周波数帯構成情報は、複数の周波数帯を示す、ステップと、
前記ＷＴＲＵによって、前記複数の周波数帯の中から第１の周波数帯における物理ダウンリンク制御チャネル（ＰＤＣＣＨ）を監視するステップと、
前記第１の周波数帯における前記ＰＤＣＣＨのうちの１つへのダウンリンク割り付けを検出したことに応答して、前記ＷＴＲＵによって、前記ダウンリンク割り付けによって示された前記複数の周波数帯の中からの第２の周波数帯において割り付けられたサブキャリア上で物理ダウンリンク共有チャネル（ＰＤＳＣＨ）を受信するステップであって、
前記ＰＤＳＣＨは、前記ダウンリンク割り付けの前記監視されたＰＤＣＣＨの終了の後の遅延時間間隔において受信され、
前記ＰＤＳＣＨに対するＨＡＲＱフィードバックについてのアップリンク物理アップリンク制御チャネルの期間は、前記ＷＴＲＵに割り付けられる、ステップと、
前記割り付けられた期間において前記ＨＡＲＱフィードバックを送信するステップと、
を備えたことを特徴とする方法。
【請求項５】
前記ＷＴＲＵによって、不連続受信（ＤＲＸ）構成情報を受信するステップと、
前記受信されたＤＲＸ構成情報に応答して、前記ＷＴＲＵによって、前記受信されたＤＲＸ構成情報から導出されたアクティブ時間の間に物理ダウンリンク制御チャネル（ＰＤＣＣＨ）を監視するステップと、
をさらに備えたことを特徴とする請求項４に記載の方法。
【請求項６】
前記アクティブ時間は、前記複数の周波数帯に対する単一のＤＲＸアクティブタイマを使用して導出される、ことを特徴とする請求項５に記載の方法。
【請求項７】
基地局であって、
無線送受信装置（ＷＴＲＵ）に周波数帯構成情報を送信するように構成された送受信機であって、前記周波数帯構成情報は、複数の周波数帯を示す、送受信機と、
前記送受信機に動作可能に結合されたプロセッサと、を備え、前記プロセッサおよび送受信機は、前記ＷＴＲＵに、前記複数の周波数帯の中から第１の周波数帯における物理ダウンリンク制御チャネル（ＰＤＣＣＨ）へのダウンリンク割り付けを送信するように構成されており、前記ダウンリンク割り付けは、物理ダウンリンク共有チャネル（ＰＤＳＣＨ）の送信のための前記複数の周波数帯の中からの第２の周波数帯における割り付けられたサブキャリアを示し、
前記プロセッサおよび前記送受信機は、前記第２の周波数帯において前記割り付けられたサブキャリア上で前記ＷＴＲＵに前記ＰＤＳＣＨを送信するようにさらに構成されており、
前記ＰＤＳＣＨは、前記ダウンリンク割り付けの前記送信されたＰＤＣＣＨの後の遅延時間間隔において送信され、
前記ＰＤＳＣＨに対するＨＡＲＱフィードバックについてのアップリンク物理アップリンク制御チャネルの期間は、前記基地局によって前記ＷＴＲＵに割り付けられ、
前記プロセッサおよび前記送受信機は、前記割り付けられた期間において前記ＨＡＲＱフィードバックを受信するように構成されている、
ことを特徴とする基地局。
【請求項８】
前記プロセッサおよび前記送受信機は、前記ＷＴＲＵに不連続受信（ＤＲＸ）構成情報を送信するようにさらに構成されており、前記ＤＲＸ構成情報は、物理ダウンリンク制御チャネル（ＰＤＣＣＨ）を監視するアクティブ時間を決定するために使用される、ことを特徴とする請求項７に記載の基地局。
【請求項９】
前記アクティブ時間は、前記複数の周波数帯に対する前記ＤＲＸ構成情報からの単一のＤＲＸアクティブタイマを使用して導出される、ことを特徴とする請求項８に記載の基地局。